(57)【要約】【課題】遮光体に複数の貫通孔が形成される場合と比較して、遮光体の整形不良を抑制する。【解決手段】各々の光軸が互いに沿うように並べられた複数のレンズを備えるレンズ体と、レンズ体に対して配置され、複数のレンズを通る光の一部を遮る遮光体とを有し、遮光体は、複数のレンズの光軸からずれた位置で複数のレンズの並ぶ方向である並び方向に沿って設けられる基部と、複数のレンズにおけるレンズ同士の間で、基部から並び方向と交差する交差方向に突出する複数の突出部とを有する光学装置。【選択図】図３
2020177152.tif 000002
【特許請求の範囲】
【請求項１】
各々の光軸が互いに沿うように並べられた複数のレンズを備えるレンズ体と、
前記レンズ体に対して配置され、前記複数のレンズを通る光の一部を遮る遮光体と
を有し、
前記遮光体は、
前記複数のレンズの光軸からずれた位置で当該複数のレンズの並ぶ方向である並び方向に沿って設けられる基部と、
前記複数のレンズにおけるレンズ同士の間で、前記基部から前記並び方向と交差する交差方向に突出する複数の突出部と
を有する
光学装置。
【請求項２】
前記複数のレンズは、前記並び方向に沿って第１列および第２列に並べて設けられ、
前記遮光体は、
前記第１列のレンズの光軸からずれた位置で前記並び方向に沿って設けられる第１基部と、当該第１列のレンズにおけるレンズ同士の間で当該第１基部から前記交差方向に突出する複数の第１突出部とを有する第１遮光体と、
前記第２列のレンズの光軸からずれた位置で、前記第１列のレンズおよび当該第２列のレンズを挟んで前記第１基部とは反対側に前記並び方向に沿って設けられる第２基部と、当該第２列のレンズにおけるレンズ同士の間で当該第２基部から前記交差方向に突出する複数の第２突出部とを有する第２遮光体と
を有することを特徴とする請求項１記載の光学装置。
【請求項３】
前記第１遮光体の第１先端は、前記交差方向において、前記第２遮光体の第２先端よりも前記第２基部側に配置されることを特徴とする請求項２記載の光学装置。
【請求項４】
前記第１列のレンズおよび前記第２列のレンズは、前記交差方向において、互いに重複する位置に設けられていることを特徴とする請求項３記載の光学装置。
【請求項５】
前記第１列のレンズは、当該レンズの光軸に沿う方向に見て前記第１遮光体の前記基部から離間していることを特徴とする請求項４記載の光学装置。
【請求項６】
前記レンズの光軸に沿う方向において、前記第１遮光体および前記第２遮光体を挟んで前記レンズ体と反対側に設けられ、当該第１遮光体および当該第２遮光体の対向する領域を覆う覆い部材を有することを特徴とする請求項２記載の光学装置。
【請求項７】
前記覆い部材は、前記複数のレンズの各光軸上に光を通過させる通過領域を有することを特徴とする請求項６記載の光学装置。
【請求項８】
前記覆い部材は、前記レンズの光軸に沿う方向において、前記第１遮光体および前記第２遮光体よりも厚さが薄いことを特徴とする請求項７記載の光学装置。
【請求項９】
前記突出部の各々は、前記レンズの外周の一部に沿う湾曲面を有することを特徴とする請求項１記載の光学装置。
【請求項１０】
前記突出部は、前記基部から前記レンズ同士の間を通って延び、当該突出部の先端が当該レンズよりも当該基部から離間した位置に突出することを特徴とする請求項１記載の光学装置。
【請求項１１】
各々の光軸が互いに沿うように並べられた複数のレンズを備えるレンズ体と、
前記レンズ体に対して配置され、前記複数のレンズを通る光の一部を遮る遮光体と
を有し、
前記遮光体は、前記複数のレンズの光軸からずれた位置で当該複数のレンズの並ぶ方向である並び方向に沿って設けられる基体を有し、
前記基体は、前記複数のレンズにおける各レンズの光軸に沿う複数の側面を有する
光学装置。
【請求項１２】
原稿に対して光を照射する照射部と、
各々の光軸が互いに沿うように並べられ、原稿から反射した光を通す複数のレンズを備えるレンズ体と、
前記レンズ体に対して配置され、前記複数のレンズを通る光の一部を遮る遮光体と、
前記複数のレンズを通る光を受光する受光部と
を有し、
前記遮光体は、
前記複数のレンズの光軸からずれた位置で当該複数のレンズの並ぶ方向である並び方向に沿って設けられる基部と、
前記複数のレンズにおけるレンズ同士の間で、前記基部から前記並び方向と交差する交差方向に突出する複数の突出部と
を有し、
前記照射部と前記レンズ体と前記受光部とが一体になって移動する移動手段となっている
画像読取装置。
【請求項１３】
原稿に対して光を照射する照射部と、
各々の光軸が互いに沿うように並べられ、原稿から反射した光を通す複数のレンズを備えるレンズ体と、
前記レンズ体に対して配置され、前記複数のレンズを通る光の一部を遮る遮光体と、
前記複数のレンズを通る光を受光する受光部と、
前記受光部が受光した光に基づいて画像を形成する画像形成部と
を有し、
前記遮光体は、
前記複数のレンズの光軸からずれた位置で当該複数のレンズの並ぶ方向である並び方向に沿って設けられる基部と、
前記複数のレンズにおけるレンズ同士の間で、前記基部から前記並び方向と交差する交差方向に突出する複数の突出部と
を有する
画像形成装置。
【発明の詳細な説明】
【技術分野】
【０００１】
本発明は、光学装置、画像読取装置、および画像形成装置に関する。
【背景技術】
【０００２】
特許文献１には、複数のレンズが列状に並び、かつ光入射用の複数の第１のレンズ面および光出射用の複数の第２のレンズ面を有する少なくとも１つのレンズアレイと、各レンズの軸長方向に貫通した複数の貫通孔を有しており、かつこれら複数の貫通孔が各第１のレンズ面の正面に位置するようにしてレンズアレイの正面を覆う第１の遮光マスクと、を備えている、レンズアレイユニットであって、各レンズの軸長方向に貫通した複数の貫通孔を有しており、かつこれら複数の貫通孔が各第２のレンズ面の背後に位置するようにレンズアレイの背後に配された第２の遮光マスクをさらに備えることが開示されている。
【先行技術文献】
【特許文献】
【０００３】
【特許文献１】特開２００３−３０２５０４号公報
【発明の概要】
【発明が解決しようとする課題】
【０００４】
ところで、光軸が互いに沿うように並べられた複数のレンズを備えるレンズ体に対して、例えば迷光を抑制するため、レンズを通る光の一部を遮る遮光体を設けることがある。また、このような遮光体としては、各レンズに対応する位置に光を通す貫通孔を設ける構成が知られている。ここで、レンズ体におけるレンズ間の距離を小さくしようとすると、遮光体における貫通孔間の距離も小さくすることが必要となる。しかしながら、貫通孔間の距離を小さくすると、遮光体の整形不良が発生しやすくなる。
【０００５】
そこで、本発明では、遮光体に複数の貫通孔が形成される場合と比較して、遮光体の整形不良を抑制することを目的とする。
【課題を解決するための手段】
【０００６】
請求項１に記載の発明は、各々の光軸が互いに沿うように並べられた複数のレンズを備えるレンズ体と、前記レンズ体に対して配置され、前記複数のレンズを通る光の一部を遮る遮光体とを有し、前記遮光体は、前記複数のレンズの光軸からずれた位置で当該複数のレンズの並ぶ方向である並び方向に沿って設けられる基部と、前記複数のレンズにおけるレンズ同士の間で、前記基部から前記並び方向と交差する交差方向に突出する複数の突出部とを有する光学装置である。
請求項２に記載の発明は、前記複数のレンズは、前記並び方向に沿って第１列および第２列に並べて設けられ、前記遮光体は、前記第１列のレンズの光軸からずれた位置で前記並び方向に沿って設けられる第１基部と、当該第１列のレンズにおけるレンズ同士の間で当該第１基部から前記交差方向に突出する複数の第１突出部とを有する第１遮光体と、前記第２列のレンズの光軸からずれた位置で、前記第１列のレンズおよび当該第２列のレンズを挟んで前記第１基部とは反対側に前記並び方向に沿って設けられる第２基部と、当該第２列のレンズにおけるレンズ同士の間で当該第２基部から前記交差方向に突出する複数の第２突出部とを有する第２遮光体とを有することを特徴とする請求項１記載の光学装置である。
請求項３に記載の発明は、前記第１遮光体の第１先端は、前記交差方向において、前記第２遮光体の第２先端よりも前記第２基部側に配置されることを特徴とする請求項２記載の光学装置である。
請求項４に記載の発明は、前記第１列のレンズおよび前記第２列のレンズは、前記交差方向において、互いに重複する位置に設けられていることを特徴とする請求項３記載の光学装置である。
請求項５に記載の発明は、前記第１列のレンズは、当該レンズの光軸に沿う方向に見て前記第１遮光体の前記基部から離間していることを特徴とする請求項４記載の光学装置である。
請求項６に記載の発明は、前記レンズの光軸に沿う方向において、前記第１遮光体および前記第２遮光体を挟んで前記レンズ体と反対側に設けられ、当該第１遮光体および当該第２遮光体の対向する領域を覆う覆い部材を有することを特徴とする請求項２記載の光学装置である。
請求項７に記載の発明は、前記覆い部材は、前記複数のレンズの各光軸上に光を通過させる通過領域を有することを特徴とする請求項６記載の光学装置である。
請求項８に記載の発明は、前記覆い部材は、前記レンズの光軸に沿う方向において、前記第１遮光体および前記第２遮光体よりも厚さが薄いことを特徴とする請求項７記載の光学装置である。
請求項９に記載の発明は、前記突出部の各々は、前記レンズの外周の一部に沿う湾曲面を有することを特徴とする請求項１記載の光学装置である。
請求項１０に記載の発明は、前記突出部は、前記基部から前記レンズ同士の間を通って延び、当該突出部の先端が当該レンズよりも当該基部から離間した位置に突出することを特徴とする請求項１記載の光学装置である。
請求項１１に記載の発明は、各々の光軸が互いに沿うように並べられた複数のレンズを備えるレンズ体と、前記レンズ体に対して配置され、前記複数のレンズを通る光の一部を遮る遮光体とを有し、前記遮光体は、前記複数のレンズの光軸からずれた位置で当該複数のレンズの並ぶ方向である並び方向に沿って設けられる基体を有し、前記基体は、前記複数のレンズにおける各レンズの光軸に沿う複数の側面を有する光学装置である。
請求項１２に記載の発明は、原稿に対して光を照射する照射部と、各々の光軸が互いに沿うように並べられ、原稿から反射した光を通す複数のレンズを備えるレンズ体と、前記レンズ体に対して配置され、前記複数のレンズを通る光の一部を遮る遮光体と、前記複数のレンズを通る光を受光する受光部とを有し、前記遮光体は、前記複数のレンズの光軸からずれた位置で当該複数のレンズの並ぶ方向である並び方向に沿って設けられる基部と、前記複数のレンズにおけるレンズ同士の間で、前記基部から前記並び方向と交差する交差方向に突出する複数の突出部とを有し、前記照射部と前記レンズ体と前記受光部とが一体になって移動する移動手段となっている画像読取装置である。
請求項１３に記載の発明は、原稿に対して光を照射する照射部と、各々の光軸が互いに沿うように並べられ、原稿から反射した光を通す複数のレンズを備えるレンズ体と、前記レンズ体に対して配置され、前記複数のレンズを通る光の一部を遮る遮光体と、前記複数のレンズを通る光を受光する受光部と、前記受光部が受光した光に基づいて画像を形成する画像形成部とを有し、前記遮光体は、前記複数のレンズの光軸からずれた位置で当該複数のレンズの並ぶ方向である並び方向に沿って設けられる基部と、前記複数のレンズにおけるレンズ同士の間で、前記基部から前記並び方向と交差する交差方向に突出する複数の突出部とを有する画像形成装置である。
【発明の効果】
【０００７】
請求項１の発明によれば、遮光体に複数の貫通孔が形成される場合と比較して、遮光体の整形不良を抑制することができる。
請求項２の発明によれば、レンズの列が複数である構成において、迷光が抑制される。
請求項３の発明によれば、レンズの列が複数である構成において、迷光が抑制される。
請求項４の発明によれば、第１列のレンズと第２列のレンズの交差方向のレンズ間を狭くできる。
請求項５の発明によれば、第１列のレンズがレンズの光軸に沿う方向に見て第１遮光体の基部から離間しない場合と比較して、迷光をより抑制する位置に第１遮光体を配置できる。
請求項６の発明によれば、覆い部材を有しない場合と比較して、迷光がより抑制される。
請求項７の発明によれば、覆い部材が通過領域を有しない場合と比較して、迷光がより抑制される。
請求項８の発明によれば、レンズの光軸に沿う方向において、覆い部材が第１遮光体および第２遮光体よりも厚い場合と比較して、光学装置の寸法を抑制できる。
請求項９の発明によれば、突出部の各々がレンズの外周に沿う湾曲面を有しない場合と比較して、迷光がより抑制される。
請求項１０の発明によれば、突出部の先端がレンズよりも基部から離間した位置に突出しない場合と比較して、迷光がより抑制される。
請求項１１の発明によれば、遮光体に複数の貫通孔が形成される場合と比較して、遮光体の整形不良を抑制することができる。
請求項１２の発明によれば、遮光体に複数の貫通孔が形成される場合と比較して、遮光体の整形不良を抑制することができる。
請求項１３の発明によれば、遮光体に複数の貫通孔が形成される場合と比較して、遮光体の整形不良を抑制することができる。
【図面の簡単な説明】
【０００８】
【図１】本実施の形態が適用される画像形成装置の概略構成図である。
【図２】本実施の形態が適用される原稿読取装置の概略構成図である。
【図３】本実施の形態が適用されるレンズアレイユニットの分解斜視図である。
【図４】（ａ）および（ｂ）は、遮光壁を説明するための図である。
【図５−１】（ａ）および（ｂ）は、遮光壁の配置を説明するための図である。
【図５−２】（ｃ）および（ｄ）は、別の形態における遮光壁の配置を説明するための図である。
【図６】（ａ）乃至（ｄ）は、第１遮光フィルムの変形例を示す図である。
【図７】（ａ）および（ｂ）は、第１遮光フィルムの形状を変化させたシミュレーション結果を示す図である。
【図８】壁部材の変形例を説明する図である。
【図９】（ａ）および（ｂ）は、壁部材の他の変形例を説明する図である。
【図１０】（ａ）乃至（ｃ）は、壁部材の変形例を説明する図である。
【図１１】（ａ）および（ｂ）は、壁部材の変形例を説明する図である。
【図１２】第１壁部材および第２壁部材の位置関係を示す図である。
【発明を実施するための形態】
【０００９】
以下、添付図面を参照して、本発明の実施の形態について説明する。
＜画像形成装置１００＞
図１は、本実施の形態が適用される画像形成装置１００の概略構成図である。
図１に示すように、画像形成装置１００は、原稿Ｇの情報を読み取る原稿読取装置１と、原稿読取装置１で読み取った原稿の情報（読取画像）に基づいて画像を記録紙Ｓに形成する画像形成部２と、画像形成部２に供給する記録紙Ｓを送り出す給紙部３とを備えている。この画像形成装置１００では、画像形成部２と給紙部３とを本体１０１の内部に収容する一方で、本体１０１の上方に原稿読取装置１を配置している。本体１０１は、その上面部に、画像が形成された記録紙Ｓを排出して収容する排出収容部１０２を有する。
【００１０】
原稿読取装置１は、筐体１０３を有する。また、原稿読取装置１は、筐体１０３の上面部に、原稿Ｇを置く光透過性の原稿台１０５と、その原稿台１０５を覆うとともに筐体１０３に対して開閉操作できる原稿カバー１０６とを有する。原稿カバー１０６には、原稿Ｇを読取位置まで搬送するとともに読み取り後の原稿Ｇを排出する自動原稿搬送部１０７と、自動原稿搬送部１０７により送られる原稿Ｇを搭載する原稿トレイ１０８と、自動原稿搬送部１０７から排出される原稿Ｇを収容する収容部１０９とが設けられている。
【００１１】
画像形成部２は、例えば電子写真方式にて、イエロー（Ｙ），マゼンタ（Ｍ），シアン（Ｃ），ブラック（Ｋ）の各色のトナー像を形成する像形成ユニット２０と、その像形成ユニット２０で形成されたトナー像を記録紙Ｓに転写するまで搬送する中間転写ユニット２６と、中間転写ユニット２６から記録紙Ｓに転写したトナー像を定着させる定着ユニット２７とを備えている。
【００１２】
給紙部３は、予め定めたサイズ、種類などからなる複数枚の記録紙Ｓを搭載可能な引き出し式の収容体３１と、収容体３１に収容される記録紙Ｓを１枚ずつ搬送路に送り出す送出装置３２とを有する。給紙部３と画像形成部２との間には、給紙部３から送り出された記録紙Ｓを二次転写位置まで搬送する供給搬送路２８が配置されている。
【００１３】
次に、画像形成装置１００の基本的な動作について説明をする。
まず、原稿読取装置１では、ユーザによって原稿台１０５と原稿トレイ１０８のいずれか一方に原稿Ｇが置かれる。そして、ユーザが操作ボタン（不図示）などを操作することで、原稿読み取りの指示を受け付けると、原稿Ｇの読み取り動作が開始される。すなわち、原稿読取装置１が原稿Ｇの読み取り情報を取得する。そして、画像形成部２が、原稿読取装置１から受信した原稿Ｇの読み取り情報に基づいて、画像形成動作を実行する。この際、画像形成部２の動作にあわせて、給紙部３から記録紙Ｓが送り出される。そして、記録紙Ｓは、画像形成部２にてトナー像が定着された後、排出収容部１０２へと排出される。以上の画像形成の動作は、原稿Ｇの枚数や画像形成枚数に応じた分だけ同様に繰り返される。
【００１４】
＜原稿読取装置１＞
図２は、本実施の形態が適用される原稿読取装置１の概略構成図である。
次に、図２を参照しながら、本実施の形態が適用される原稿読取装置１について説明をする。図２に示すように、原稿読取装置１は、透明板７０と、透明板７０を支持する合成樹脂製のケース７１と、ケース７１の底面部に組み付けられた基板７２とを備えている。基板７２の表面上には、主走査方向（紙面と直交する方向）に間隔を隔てて列状に並べられた複数の点状の光源７３と、これら複数の光源７３と同方向に並べられた複数の受光素子７４とが設けられている。各光源７３は、例えば発光ダイオードを用いて構成されている。各受光素子７４は、光電変換機能を有するものであり、光を受けると、その受光量に対応した出力レベルの信号、具体的には画像信号を出力する。
【００１５】
ここで、原稿読取装置１は、透明板７０と各受光素子７４との間に、レンズアレイユニット１０を備えている。レンズアレイユニット１０の詳細な構成は後述するが、図示のレンズアレイユニット１０は、ケース７１に設けられた凹溝７５内に配置されている。また、図示の透明板７０の表面部のうち、レンズアレイユニット１０に対向する部分は、主操作方向に延びる画像読み取り領域Ｌａとなっている。この画像読み取り領域Ｌａには、各光源７３から光が照射される。
【００１６】
原稿読取装置１においては、自動原稿搬送部１０７（図１参照）によって透明板７０の表面上に導かれた原稿Ｇに対して、光源７３からの光が照射される。原稿Ｇに照射された光の反射光は、レンズアレイユニット１０に向けて進行する。すると、レンズアレイユニット１０の作用によって、画像読み取り領域Ｌａにおける原稿Ｇの１ライン分の画像が、複数の受光素子７４上に正立等倍で結像する。このため、複数の受光素子７４からは、原稿Ｇの画像に対応する１ライン分の画像信号が出力される。このような読み取り処理は、原稿Ｇが例えば自動原稿搬送部１０７が有するプラテンローラ７７によって副走査方向に搬送される過程において、複数回にわたって繰り返し実行される。
【００１７】
なお、以下の説明においては、画像読み取り領域Ｌａから受光素子７４に向かう方向、すなわち図２における上下方向を光軸方向ということがある。
【００１８】
＜レンズアレイユニット１０＞
図３は、本実施の形態が適用されるレンズアレイユニット１０の分解斜視図である。
次に、図３を参照しながら、本実施の形態が適用されるレンズアレイユニット１０について説明をする。
【００１９】
図３に示すように、レンズアレイユニット１０は、第１遮光フィルム１１０と、遮光壁１３０と、第２遮光フィルム１５０と、第１レンズアレイ１７０と、第２レンズアレイ１８０と、第３遮光フィルム１９０とを有する。さらに説明をすると、図示の例のレンズアレイユニット１０においては、第１遮光フィルム１１０、遮光壁１３０、第２遮光フィルム１５０、第１レンズアレイ１７０、第２レンズアレイ１８０、および第３遮光フィルム１９０がこの順で積層されるとともに、接着剤などによって互いに接着され一体化している。以下、レンズアレイユニット１０が有する各部材について説明をする。
【００２０】
まず、第１レンズアレイ１７０および第２レンズアレイ１８０について説明をする。
第１レンズアレイ１７０および第２レンズアレイ１８０は、各々略直方体状の部材である。さらに説明をすると、図示の第１レンズアレイ１７０および第２レンズアレイ１８０は、１対のレンズ部材であり、互いに一致する形状である。
【００２１】
第１レンズアレイ１７０は、略直方体状の第１支持体１７１と、第１支持体１７１の表裏面に形成された複数の第１レンズ１７３とを有する。複数の第１レンズ１７３は、各々の光軸が互いに沿うように構成されている。なお、複数の第１レンズ１７３の光軸が互いに沿うとは、第１レンズ１７３の各々が画像読み取り領域Ｌａにおける原稿Ｇの１ライン分の画像を、複数の受光素子７４上に正立等倍で結像するものであればよく、複数の第１レンズ１７３の光軸が互いに平行であるだけでなく、互いの角度にずれがあってもよい。また、複数の第１レンズ１７３は、主走査方向に沿った第１列Ｒ７１および第２列Ｒ７２に並べて設けられる。ここで、複数の第１レンズ１７３は、千鳥状に配置されている。すなわち、第１列Ｒ７１を構成する第１レンズ１７３と、第２列Ｒ７２を構成する第１レンズ１７３とは、主走査方向において互いにずれて配置されている。なお、第１列Ｒ７１における第１レンズ１７３は、予め定めた間隔、すなわちピッチで配置されている。また、第２列Ｒ７２における第１レンズ１７３は、第１列Ｒ７１と同一の間隔で配置されている。
【００２２】
第２レンズアレイ１８０は、略直方体状の第２支持体１８１と、第２支持体１８１の表裏面に形成された複数の第２レンズ１８３とを有する。複数の第２レンズ１８３は、各々の光軸が互いに沿うように構成されている。なお、複数の第２レンズ１８３の光軸が互いに沿うとは、第２レンズ１８３の各々が画像読み取り領域Ｌａにおける原稿Ｇの１ライン分の画像を、複数の受光素子７４上に正立等倍で結像するものであればよく、複数の第２レンズ１８３の光軸が互いに平行であるだけでなく、互いの角度にずれがあってもよい。また、複数の第２レンズ１８３は、主走査方向に沿った第１列Ｒ８１および第２列Ｒ８２に並べて設けられる。ここで、複数の第２レンズ１８３は、千鳥状に配置されている。すなわち、第１列Ｒ８１を構成する第２レンズ１８３と、第２列Ｒ８２を構成する第２レンズ１８３とは、主走査方向において互いにずれて配置されている。なお、第１列Ｒ８１における第２レンズ１８３は、予め定めた間隔で配置されている。また、第２列Ｒ８２における第２レンズ１８３は、第１列Ｒ８１と同一の間隔で配置されている。
【００２３】
図示の例においては、第１レンズアレイ１７０および第２レンズアレイ１８０は、第１レンズ１７３および第２レンズ１８３の各々が互いに対向するように配置される。さらに説明をすると、第１レンズ１７３の光軸と第２レンズ１８３の光軸とが一致するように揃えて配置されている。また、第１レンズアレイ１７０および第２レンズアレイ１８０の各々は、例えば透光性を有する光学樹脂を用いて射出成形することにより、一体的に形成される。なお、以下の説明において、第１レンズ１７３の光軸と第２レンズ１８３の光軸とを区別する必要がない場合、単に「第１レンズ１７３の光軸」と呼ぶことがある。
【００２４】
次に、第１遮光フィルム１１０、第２遮光フィルム１５０、および第３遮光フィルム１９０について説明をする。第１遮光フィルム１１０、第２遮光フィルム１５０、および第３遮光フィルム１９０は、各々長尺状の薄板部材である。図示の例における第１遮光フィルム１１０、第２遮光フィルム１５０、および第３遮光フィルム１９０は、互いに一致する形状である。
【００２５】
第１遮光フィルム１１０は、平面視略長方形状の第１板面１１１を有する。この第１板面１１１には、複数の第１貫通孔１１３が形成されている。ここで、各第１貫通孔１１３は、略円形である。また、各第１貫通孔１１３の位置は、第１レンズ１７３および第２レンズ１８３に対応する。すなわち、各第１貫通孔１１３は、第１レンズ１７３の光軸が通過する位置に形成されている。また、第１貫通孔１１３は、主走査方向に沿った第１列Ｒ１１および第２列Ｒ１２に並べて設けられる。さらに説明をすると、第１レンズ１７３の光軸一つ一つ（各光軸）に通過領域である第１貫通孔１１３が各々対応している。
【００２６】
図示の例においては、第１遮光フィルム１１０は、遮光壁１３０よりも、厚さが薄い。すなわち、第１遮光フィルム１１０は、遮光壁１３０よりも光軸方向の寸法が小さい。また、第１遮光フィルム１１０は、例えば黒色顔料を混ぜた樹脂材料（例えば、アクリル樹脂）により形成されている。この第１遮光フィルム１１０は、第１レンズ１７３および第２レンズ１８３の結像に寄与しない構成を遮断する。さらに説明をすると、第１遮光フィルム１１０は、光軸方向において遮光壁１３０を挟んで第１レンズ１７３および第２レンズ１８３とは反対側、言い替えると遮光壁１３０の上面に設けられ、遮光壁１３０に進入する光の一部を遮断する。この第１遮光フィルム１１０は、後述する第１壁部材１３１Ａおよび第２壁部材１３１Ｂの対向する領域を覆う覆い部材の一例である。なお、覆い部の一例である第１遮光フィルム１１０は、２ずつの第１レンズ１７３を覆うなど、複数の第１レンズ１７３と複数の第１レンズ１７３の光軸を通過させてもよい。
【００２７】
上記のように第１遮光フィルム１１０、第２遮光フィルム１５０、および第３遮光フィルム１９０は、互いに一致する形状であるため、詳細な説明は省略するが、第２遮光フィルム１５０は、複数の第２貫通孔１５３が形成された第２板面１５１を有する。ここで、各第２貫通孔１５３は、第１レンズ１７３の光軸が通過する位置に形成されている。また、第２貫通孔１５３は、第１列Ｒ５１および第２列Ｒ５２に並べて設けられる。
【００２８】
また、第３遮光フィルム１９０は、複数の第３貫通孔１９３が形成された第３板面１９１を有する。ここで、各第３貫通孔１９３は、第１レンズ１７３の光軸が通過する位置に形成されている。また、第３貫通孔１９３は、第１列Ｒ９１および第２列Ｒ９２に並べて設けられる。
【００２９】
なお、詳細は後述するが、図３のように遮光壁１３０の光軸溝１３５を略Ｕ字で構成せず、図８のように湾曲面がない遮光壁２３０のような構成の場合は、さらに第１遮光フィルム１１０による影響は大きくなる。言い換えれば、第１遮光フィルム１１０の形状が覆う部分における形状は、後述の遮光壁２３０よりもレンズの形状に近いものとするとなお良い。遮光壁２３０は第１遮光フィルム１１０よりも光軸方向において長いので、寸法の精度を出すことが相対的に難しくなることがあるが、第１遮光フィルム１１０は薄いので相対的に形状を操作しやすい。遮光壁２３０に対し第１遮光フィルム１１０を合わせた際の第１レンズ１７３に入る光は、遮光壁１３０の形状にした際に第１レンズ１７３に入る光に近づく。
【００３０】
＜遮光壁１３０＞
図４（ａ）および（ｂ）は、遮光壁１３０を説明するための図である。より詳細には、図４（ａ）は第１壁部材１３１Ａの斜視図であり、図４（ｂ）は第１壁部材１３１Ａの上面図である。
図５−１（ａ）および（ｂ）は、遮光壁１３０の配置を説明するための図である。より詳細には、図５−１（ａ）は第１壁部材１３１Ａおよび第２壁部材１３１Ｂの位置関係を示す図であり、図５−１（ｂ）は図５−１（ａ）のＶＢにおける拡大図である。図５−２（ｃ）および（ｄ）は、別の形態における遮光壁７３０の配置を説明するための図である。より詳細には、図５−２（ｃ）は第１壁部材７３１Ａおよび第２壁部材７３１Ｂの位置関係を示す図であり、図５−２（ｄ）は図５−２（ｃ）のＶＤにおける拡大図である。
【００３１】
次に、図３、図４（ａ）および（ｂ）、図５−１（ａ）および（ｂ）を参照しながら、遮光壁１３０について説明をする。
図３に示すように、遮光壁１３０は、各々略直方体状の２つの壁部材１３１、すなわち第１壁部材１３１Ａおよび第２壁部材１３１Ｂを並べて構成される。さらに説明をすると、遮光壁１３０は、第１レンズ１７３の光軸を挟んで互いに対向して設けられる第１壁部材１３１Ａおよび第２壁部材１３１Ｂを有する。
【００３２】
第１壁部材１３１Ａおよび第２壁部材１３１Ｂは、例えば黒色顔料を混ぜた樹脂材料（例えば、ポリカーボネートやアクリル樹脂）により形成されている。なお、図示の例においては、第１壁部材１３１Ａおよび第２壁部材１３１Ｂは同一の部材である。そこで、以下においては、第１壁部材１３１Ａを例に詳細な構造を説明する。
【００３３】
図４（ａ）および（ｂ）に示すように、第１壁部材１３１Ａは、略直方体状の部材である。この第１壁部材１３１Ａは、長手方向が主走査方向に沿って配置される。例えば、第１壁部材１３１Ａは、主走査方向の長さＬ１が３００ｍｍであり、光軸方向の長さＬ２が５ｍｍであり、副走査方向の長さＬ３が２ｍｍである。第１壁部材１３１Ａは、法線が副走査方向に沿う面である第１側面１３３を有する。なお、この第１側面１３３は、第１壁部材１３１Ａにおいて第２壁部材１３１Ｂ（図３参照）と対向する面として捉えることができる。
【００３４】
この第１壁部材１３１Ａは、主走査方向に複数の壁を有した櫛歯型である。さらに説明をすると、第１側面１３３に光軸方向に沿って形成される複数の光軸溝１３５を有する。この複数の光軸溝１３５は、予め定めた間隔で主走査方向に複数並べて設けられる。複数の光軸溝１３５の各々は、第１レンズ１７３の光軸が通過する位置に形成されている。付言すると、主走査方向における光軸溝１３５の間隔は、第１レンズアレイ１７０における第１レンズ１７３の間隔、および第２レンズアレイ１８０における第２レンズ１８３の間隔と一致する。
【００３５】
ここで、図４（ｂ）に示すように、第１側面１３３に複数の光軸溝１３５が形成された第１壁部材１３１Ａは、長手方向が主走査方向に沿って伸びる基部１３２と、基部１３２から副走査方向に突出する複数の突出部１３７を有する構成として捉えることができる。ここで、突出部１３７の先端１３８は、主走査方向において予め定められた間隔で配置されている。また、光軸溝１３５の底部１３９は、主走査方向において予め定められた間隔で配置されている。なお、第１壁部材１３１Ａにおける突出部１３７とは、主走査方向において光軸溝１３５の間に挟まれる部分であって、光軸溝１３５の底部１３９を結ぶ仮想線ＩＬから第１レンズ１７３の光軸側の部分をいう。また、第１壁部材１３１Ａにおける基部１３２とは、光軸溝１３５の底部１３９を結ぶ仮想線ＩＬから第１レンズ１７３の光軸側とは反対の側の部分をいう。図４（ｂ）に示す例においては、基部１３２は平面視略長方形状の部分である。
【００３６】
さて、図５−１（ａ）に示すように、第１壁部材１３１Ａおよび第２壁部材１３１Ｂは、互いに光軸溝１３５が形成された面である第１側面１３３（図４（ａ）参照）を対向させて配置される。そして、図５−１（ａ）に示すように光軸方向に沿って見ると、光軸溝１３５は、各々第１レンズ１７３および第２レンズ１８３と一致する位置に配置される。
【００３７】
このように構成された第１壁部材１３１Ａおよび第２壁部材１３１Ｂは、第１レンズ１７３および第２レンズ１８３の結像に寄与しない光を遮断する。さらに説明をすると、第１壁部材１３１Ａおよび第２壁部材１３１Ｂにおいては、副走査方向に突出する複数の突出部１３７が、主走査方向において第１レンズ１７３の各々の間で光を遮断する壁を形成する。この突出部１３７により、光軸とは交差する向き、言い替えると角度がついて第１レンズ１７３および第２レンズ１８３に入射する光が遮断される。このことにより、第１レンズ１７３および第２レンズ１８３のうちの１つのレンズから主走査方向において隣接する他のレンズに入る光が低減される。
【００３８】
その結果、第１レンズ１７３および第２レンズ１８３の画角が狭められ、焦点深度が増加し得る。また、第１レンズ１７３および第２レンズ１８３を通過する光において、迷光が生じにくくなり得る。なお、ここでの画角とは、光軸方向に対する光線の見込み角度（法線と光線とのなす角度）のことをいう。また、迷光とは、物体面の物点から出た光線が、像面上の対応する像点以外に到達する光のことをいう。
【００３９】
また、上記のように、第１壁部材１３１Ａおよび第２壁部材１３１Ｂは、黒色顔料を混ぜた樹脂材料により構成されている。したがって、突出部１３７の表面、言い替えると光軸溝１３５の内側面も黒色である。このように突出部１３７の表面を黒色とすることにより、突出部１３７によって遮断した光が、突出部１３７において反射することが抑制される。
【００４０】
さて、図５−１（ａ）に示すように、第１壁部材１３１Ａおよび第２壁部材１３１Ｂは、主走査方向における位置が互いにずれて配置される。具体的には、第１壁部材１３１Ａおよび第２壁部材１３１Ｂは、第１レンズアレイ１７０における第１レンズ１７３の間隔、あるいは第２レンズアレイ１８０における第２レンズ１８３の間隔の半分の長さだけ、主走査方向にずれて配置されている。このことにより、第１壁部材１３１Ａの光軸溝１３５は、第１列Ｒ７１の第１レンズ１７３、あるいは第１列Ｒ８１の第２レンズ１８３の各々に対応する位置に配置される。また、第２壁部材１３１Ｂの光軸溝１３５は、第２列Ｒ７２の第１レンズ１７３、あるいは第２列Ｒ８２の第２レンズ１８３に対応する位置に配置される。
【００４１】
また、図５−１（ｂ）に示すように、第１壁部材１３１Ａおよび第２壁部材１３１Ｂにおける一方の先端１３８は、他方の光軸溝１３５の内部に進入した位置に配置される。さらに説明をすると、副走査方向において、第２壁部材１３１Ｂの先端１３８の位置Ｐ０は、第１壁部材１３１Ａの先端１３８の位置Ｐ１よりも、第１壁部材１３１Ａの底部１３９（図４（ｂ）参照）側に突出している。さらに説明をすると、第２壁部材１３１Ｂの先端１３８は、第１レンズ１７３における第２壁部材１３１Ｂ側の頂点１７４の位置Ｐ２よりも突出している。
【００４２】
このように、第１壁部材１３１Ａの突出部１３７および第２壁部材１３１Ｂの突出部１３７は、副走査方向において、重なる部分、いわゆるオーバーハング部分(図中、領域ＧＡ参照）を形成する。このオーバーハング部分によって、第１レンズ１７３および第２レンズ１８３のうちの対象とする１つのレンズから、主走査方向において隣接する他のレンズに光が入ることがより確実に低減される。特に図５−１（ａ）のように、第１レンズアレイ１７０および第２レンズアレイ１８０の距離、すなわち第１レンズ１７３および第２レンズ１８３の主走査方向に交差する方向における間隔が狭くなると、例えば受光素子７４（図２参照）に到達する光の光量が増加するなど、第１レンズアレイ１７０および第２レンズアレイ１８０の光学性能が向上する。このようにレンズ同士がオーバーラップしている構成にした場合に、突出部１３７にオーバーハング部分をつくると、突出部１３７の先端１３８で反対側のレンズの一部を覆ってしまうが、その構成にすることで、遮光する対象のレンズへの光をオーバーハングさせない構成より、より遮光することができる。
【００４３】
さて、一般的には、第１レンズアレイ１７０および第２レンズアレイ１８０におけるレンズピッチ、すなわち第１レンズ１７３および第２レンズ１８３の主走査方向における間隔が狭くなると、例えば受光素子７４（図２参照）に到達する光の光量が増加するなど、第１レンズアレイ１７０および第２レンズアレイ１８０の光学性能が向上する。
【００４４】
ここで、本実施の形態とは異なり、例えば遮光壁１３０を１つの直方体で形成し、第１レンズ１７３の光軸に対応する位置に、複数の貫通孔（不図示）が形成された構成も採用され得る。しかしながら、このような構成が採用された場合において、第１レンズアレイ１７０および第２レンズアレイ１８０における狭いレンズピッチにあわせて、遮光壁１３０の貫通孔（不図示）同士の距離を狭めると、例えば貫通孔の間の肉壁が薄くなる。そして、例えばこの肉壁が１５０μｍ以下となるなど予め定めた厚さよりも薄くなると、射出成形を行う際に、薄い部分における樹脂材料の流動性が悪化し、成形不良が発生し得る。
【００４５】
一方で、本実施の形態の遮光壁１３０のように、第１壁部材１３１Ａおよび第２壁部材１３１Ｂを有する構成においては、第１壁部材１３１Ａおよび第２壁部材１３１Ｂにおける光軸溝１３５の間隔を小さくした場合であっても、上記のような整形不良が抑制され得る。
【００４６】
さて、図示の光軸溝１３５は、断面略Ｕ字状である。言い替えると、光軸溝１３５の底部１３９は、半円形状である。さらに言い替えると、突出部１３７は、第１レンズ１７３などの外周に沿い湾曲した形状である湾曲面を有する。このように、突出部１３７が第１レンズ１７３などの外周の一部に沿う形状をしていることにより、上記のような迷光がより生じにくくなる。なお、突出部１３７が第１レンズ１７３などの外周の一部に沿うとは、例えば突出部１３７が第１レンズ１７３の外周面との間隙が予め定めた大きさである形状に限定されるものではなく、例えば第１レンズ１７３などの外周と同じ向きに湾曲するなど、突出部１３７から第１レンズ１７３の外周面までの距離が変化する形状であってもよい。また、突出部１３７は、根元側から先端１３８に向かうに従い、主走査方向の長さ、すなわち突出部１３７の幅が減少する。このことにより、例えば図示の例とは異なり先端１３８が他の部分よりも幅広である構成と比較して、射出成形の工程において型から突出部１３７を抜く作業が容易となる。
【００４７】
なお、図５−２（ｃ）および（ｄ）に示すように、第１レンズアレイ１７０および第２レンズアレイ１８０の距離、すなわち第１レンズ１７３および第２レンズ１８３の主走査方向に交差する方向における間隔が、図５−１（ａ）および（ｂ）に示す実施の形態よりも広く、レンズ同士がオーバーラップしない構成であってもよい。この実施の形態における第１壁部材７３１Ａおよび第２壁部材７３１Ｂでは、副走査方向において、第２壁部材７３１Ｂの先端１３８の位置Ｐ０は、第１壁部材７３１Ａの先端１３８の位置Ｐ１よりも、第１壁部材７３１Ａの底部１３９（図４（ｂ）参照）側に突出している。さらに説明をすると、第２壁部材７３１Ｂの先端１３８は、第１レンズ１７３における第１壁部材１３１Ａ側の頂点１７６の位置Ｐ３よりも突出している。
【００４８】
＜変形例１＞
図６（ａ）乃至（ｄ）は、第１遮光フィルム１１０の変形例を示す図である。
次に、図６（ａ）乃至（ｄ）を参照しながら、第１遮光フィルム１１０の変形例について説明をする。上記の説明においては、第１遮光フィルム１１０（図６（ａ）参照）が、平面視略長方形状の第１板面１１１に形成された略円形の第１貫通孔１１３を有することを説明したが、これに限定されない。第１遮光フィルム１１０は、光軸方向において遮光壁１３０を挟んで第１レンズ１７３および第２レンズ１８３とは反対側に設けられ、遮光壁１３０に進入する光の一部を遮断する構成であれば、その形状は特に限定されない。
【００４９】
例えば、図６（ｂ）に示す第１遮光フィルム２１０のように、平面視略長方形状の第１板面２１１に形成された略半円状の第１貫通孔２１３を有する構成であってもよい。ここで、図６（ｂ）に示す第１遮光フィルム２１０は、第１遮光フィルム１１０（図６（ａ）参照）の幅方向両端を切り落とした形状と捉えることができる。例えば、第１遮光フィルム１１０の幅方向長さＷ１が２ｍｍとすると、第１遮光フィルム２１０の幅方向長さＷ２は０．７５ｍｍとなる。
【００５０】
また、図６（ｃ）に示す第１遮光フィルム３１０のように、平面視略長方形状の第１板面３１１に形成された第１貫通孔３１３を有する構成であってもよい。第１貫通孔３１３は、略半円、より具体的には、半円よりも領域が狭い円弧と弦によって形成される所謂弓形である。図６（ｃ）に示す第１遮光フィルム３１０は、第１遮光フィルム１１０（図６（ａ）参照）の幅方向両端を切り落とした形状と捉えることができる。例えば、第１遮光フィルム１１０の幅方向長さＷ１が２ｍｍとすると、第１遮光フィルム３１０の幅方向長さＷ３は０．６ｍｍとなる。
【００５１】
また、図６（ｄ）に示す第１遮光フィルム４１０のように、平面視略長方形状であってもよい。すなわち、第１貫通孔１１３（図６（ａ）参照）を有しない構成であってもよい。第１遮光フィルム４１０は、副走査方向における第１レンズ１７３の第１列Ｒ７１および第２列Ｒ７２の間において、第１列Ｒ７１および第２列Ｒ７２に沿って配置される長尺状部材として捉えることができる。例えば、第１遮光フィルム４１０の幅方向長さＷ４は０．１８ｍｍである。
【００５２】
図７（ａ）および（ｂ）は、第１遮光フィルム１１０の形状を変化させたシミュレーション結果を示す図である。より詳細には、図７（ａ）は、第１遮光フィルム１１０の形状を変化させた場合における、主走査方向の焦点深度と解像度（ＣＴＦ：Ｃｏｎｔｒａｓｔ Ｔｒａｎｓｆｅｒ Ｆｕｎｃｔｉｏｎ）との関係のシミュレーション結果を示す図である。また、図７（ｂ）は、第１遮光フィルム１１０の形状を変化させた場合における、副走査方向における焦点深度と、解像度との関係のシミュレーション結果を示す図である。
【００５３】
なお、図７（ａ）および（ｂ）における解像度は、書き込む線画像データの濃度コントラストを１００％とした場合の、原稿Ｇ上の読取画像の濃度コントラストの相対値である。また、シミュレ―ションの条件としては、図２に示すレンズアレイユニット１０のように、遮光壁１３０、第２遮光フィルム１５０、第１レンズアレイ１７０、第２レンズアレイ１８０、および第３遮光フィルム１９０をこの順に積層したものに対して、各形状の第１遮光フィルム１１０などを配置することとした。
【００５４】
なお、「半円０．６」とは、第１遮光フィルム１１０の副走査方向の両側を切り落とし、第１遮光フィルムの幅方向長さを０．６ｍｍとしたものである。また、比較対象として、第１遮光フィルム１１０を設けない条件を「フィルム無し」とした。また、「線０．１８」は図６（ｄ）の第１遮光フィルム４１０であり、「半円０．６」は図６（ｃ）の第１遮光フィルム３１０であり、「半円０．７５」は図６（ｂ）の第１遮光フィルム２１０であり、「円」は図６（ａ）の第１遮光フィルム１１０である。
【００５５】
次に、図６（ａ）乃至（ｄ）、図７（ａ）および（ｂ）を参照しながら、第１遮光フィルム１１０の形状を変化させた際のシミュレーション結果について説明をする。
図７（ａ）および（ｂ）に示すように、上記第１遮光フィルム１１０、２１０、３１０、４１０、および「半円０．６５」の第１遮光フィルム（不図示）の各々において、主走査方向における焦点深度および解像度の関係、および副走査方向における焦点深度および解像度との関係をシミュレーションした。
【００５６】
図７（ａ）および（ｂ）によれば、「線０．１８」、「半円０．６」、「半円０．６５」、「半円０．７５」、および「円」のいずれにおいても、「フィルム無し」と比較して、より大きな解像度が得られた。すなわち、第１遮光フィルム１１０などを配置することによって、レンズアレイユニット１０の光学性能が向上することが確認された。なお、「線０．１８」である第１遮光フィルム４１０においては、図７（ｂ）に示す副走査方向における解像度が「フィルム無し」と比較して大きくなることが確認された。
【００５７】
＜変形例２＞
図８は、遮光壁１３０の変形例を説明する図である。
図９（ａ）および（ｂ）は、遮光壁１３０の他の変形例を説明する図である。
次に、図８、図９（ａ）および（ｂ）を参照しながら遮光壁１３０の変形例について説明をする。なお、以下の説明において、上記の実施の形態と同一の構成については、同一の符号を付して説明を省略することがある。
【００５８】
上記の説明においては、遮光壁１３０に形成された光軸溝１３５が、断面略Ｕ字状であり、第１レンズ１７３および第２レンズ１８３の外周に沿う形状をしていることを説明したが、これに限定されない。光軸溝１３５は、遮光壁１３０において、第１レンズ１７３の光軸に沿って空間を形成する構成であればよい。
【００５９】
例えば、図８に示す遮光壁２３０のように、第１壁部材２３１Ａおよび第２壁部材２３１Ｂが断面略矩形の光軸溝２３５を有する構成であってもよい。この構成においては、突出部２３７は、光軸方向に見て略直方体状である。ここで、光軸方向に見て、光軸溝２３５の各々には、第１レンズ１７３および第２レンズ１８３が配置される。なお、上記図５などに示す光軸溝１３５と比較すると、光軸方向に見て、光軸溝２３５内における突出部２３７と第１レンズ１７３および第２レンズ１８３との距離が大きい。したがって、図８に示す構成においては、第１レンズアレイ１７０における第１レンズ１７３の外周、および第２レンズアレイ１８０における第２レンズ１８３の外周に遮光膜（不図示）を形成し、迷光を遮断することが好ましい。
【００６０】
また、上記の説明においては、第１レンズアレイ１７０が、複数列の第１レンズ１７３を有することを説明したがこれに限定されない。例えば、図９（ａ）に示すように、第１レンズアレイ１７０が、１列の第１レンズ１７３を有する構成であってもよい。このように、第１レンズアレイ１７０が１列の第１レンズ１７３を有する構成においては、遮光壁３３０が、１つの第１壁部材３３１Ａにより構成されてもよい。この第１壁部材３３１Ａには、複数の光軸溝１３５が形成され、光軸溝１３５の各々に第１レンズ１７３が配置される。
【００６１】
また、図９（ｂ）に示すように、第１レンズアレイ１７０が２列の第１レンズ１７３を有する構成において、遮光壁４３０が１つの第１壁部材４３１Ａにより構成されてもよい。
この構成においては、突出部２３７が、第１列Ｒ７１および第２列Ｒ７２の両者と交差するよう形成される。具体的には、突出部２３７は、第１列Ｒ７１の第１レンズ１７３同士の間にて副走査方向に延びる第１部４３７Ａと、第１部４３７Ａから副走査方向に対して傾斜する向きに延びる傾斜部４３７Ｂと、傾斜部４３７Ｂから副走査方向に延び第２列Ｒ７２の第１レンズ１７３同士の間を通る第２部４３７Ｃとを有する。付言すると、図９（ｂ）に示す例とは異なり、突出部１３７が副走査方向に延びる部分を有さない構成であってもよい。例えば、突出部１３７全体が、副走査方向に対して傾斜する向きに延びる構成であってもよい。
【００６２】
＜変形例３＞
図１０（ａ）乃至（ｃ）は、遮光壁１３０の変形例を説明する図である。より詳細には、図１０（ａ）は遮光壁５３０を光軸走査方向に沿って見た図であり、図１０（ｂ）は位置決めピン１９４によって支持される遮光壁５３０を光軸方向に沿って見た図であり、図１０（ｃ）は位置決めピン１９４によって支持される遮光壁５３０を主走査方向に沿って見た図である。
次に、図１０（ａ）乃至（ｃ）を参照しながら、遮光壁１３０の他の変形例について説明をする。
【００６３】
上記の説明においては、光軸溝１３５が、断面略Ｕ字状であり、第１レンズ１７３および第２レンズ１８３の外周に沿う形状をしていることを説明したが、これに限定されない。例えば、図１０（ａ）に示す遮光壁５３０のように、光軸方向に見て、第１壁部材５３１Ａおよび第２壁部材５３１Ｂに形成される光軸溝５３５の底部５３９、すなわち壁の内側が、第１レンズ１７３から離間する位置となるように、光軸溝５３５が形成されてもよい。言い替えると、光軸方向に見て、第１レンズ１７３が基部５３２から離間する構成としてもよい。さらに言い替えると、光軸溝５３５の深さを、第１レンズ１７３の直径よりも領域ＧＡ分、深く形成してもよい。
【００６４】
このように光軸溝５３５を深く形成することにより、遮光壁５３０を組み立てる作業が容易となる。以下、遮光壁５３０を第１レンズアレイ１７０に固定する工程について具体的に説明をする。なお、図示の工程においては、第１壁部材５３１Ａおよび第２壁部材５３１Ｂのそれぞれの位置を決める複数の位置決めピン１９４と、複数の位置決めピン１９４を支持し駆動源（不図示）からの駆動を受けて移動する支持部材１９５と、第１壁部材５３１Ａおよび第２壁部材５３１Ｂを押圧するスプリング１９７とが用いられる。また、位置決めピン１９４はＵ字部分の曲率の径と同じにしている。
【００６５】
また、図示の例においては、第１壁部材５３１Ａおよび第２壁部材５３１Ｂの位置決めに、それぞれ３つの位置決めピン１９４が用いられる。さらに説明をすると、第１壁部材５３１Ａおよび第２壁部材５３１Ｂ各々の、主走査方向に並ぶ光軸溝５３５のうち、両端および中央に位置する光軸溝５３５に各々位置決めピン１９４が配置される。
【００６６】
まず、第１レンズアレイ１７０に対して、位置決めピン１９４が予め位置が定められた位置となるように、駆動源（不図示）からの駆動を受けた支持部材１９５が配置される。そして、第１レンズアレイ１７０に対して位置が定められた位置決めピン１９４に、スプリング１９７によって押圧された第１壁部材５３１Ａおよび第２壁部材５３１Ｂが押し当てられる。すなわち、第１壁部材５３１Ａおよび第２壁部材５３１Ｂにおける上記両端および中央の光軸溝５３５内に、各々位置決めピン１９４が配置される。
【００６７】
そして、上記のように第１壁部材５３１Ａおよび第２壁部材５３１Ｂの位置が決められた状態において、第１壁部材５３１Ａおよび第２壁部材５３１Ｂと第１レンズアレイ１７０との間に、例えば紫外線硬化型の接着剤１９２が塗布される。そして、この接着剤１９２に紫外線が照射されることで、第１壁部材５３１Ａおよび第２壁部材５３１Ｂが第１レンズアレイ１７０に固定される。固定された後は、位置決めピン１９４は取りのぞく。位置決めピン１９４を取り除く構成にすると、第１レンズ１７３の光軸上に位置決めピン１９４を配置することが可能になり、第１壁部材５３１Ａおよび第２壁部材５３１Ｂと第１レンズ１７３の距離が近づく。
【００６８】
ここで、図１０（ｂ）に示すように、第１壁部材５３１Ａおよび第２壁部材５３１Ｂが第１レンズアレイ１７０に固定された状態において、光軸方向に見ると、光軸溝５３５の底部５３９は第１レンズ１７３から離間した位置となる。このことにより、第１壁部材５３１Ａの位置を決める位置決めピン１９４は、第２壁部材５３１Ｂにおける突出部５３７の先端５３８と干渉しない。また、第２壁部材５３１Ｂの位置を決める位置決めピン１９４は、第１壁部材５３１Ａにおける突出部５３７の先端５３８と干渉しない。このような配置により、第１壁部材１３１Ａの突出部１３７および第２壁部材１３１Ｂの突出部１３７は、副走査方向において、オーバーハング部分(図中、領域ＧＡ参照）を形成することができる。
【００６９】
＜変形例４＞
図１１（ａ）および（ｂ）は、遮光壁１３０の変形例を説明する図である。より詳細には、図１１（ａ）は第１壁部材６３１Ａを示す図であり、図１１（ｂ）は第１壁部材７３１Ａを示す図である。
次に、図１１（ａ）および（ｂ）を参照しながら、遮光壁１３０の他の変形例について説明をする。
【００７０】
上記変形例３においては、第１壁部材５３１Ａおよび第２壁部材５３１Ｂの突出部５３７にオーバーハング部分を形成するための構成として、全ての光軸溝５３５を第１レンズ１７３の寸法よりも深く形成することを説明したが、これに限定されない。
【００７１】
例えば、図１１（ａ）に示す第１壁部材６３１Ａのように、一部の光軸溝６３５Ａを、他の光軸溝６３５Ｂよりも深く形成してもよい（図中、距離ＧＢ参照）。この深く形成された一部の光軸溝６３５Ａに位置決めピン１９４が配置されることによって、位置決めピン１９４が配置されない他の光軸溝６３５Ｂにおける第１レンズ１７３との距離を抑制しながら、上記オーバーハング部分が形成される。
【００７２】
また、例えば、図１１（ｂ）に示す第１壁部材７３１Ａのように、複数の光軸溝７３５を形成し、複数の突出部７３７を備える構成において、一部の突出部７３７Ａの先端７３８Ａを、他の突出部７３７Ｂの先端７３８Ｂよりも低く形成してもよい（図中、距離ＧＣ参照）。この低く形成された一部の突出部７３７Ａと対向する位置に位置決めピン１９４が配置されることによって、他の突出部７３７Ｂにおける第１レンズ１７３との距離を抑制しながら、上記オーバーハング部分が形成される。
また、遮光壁１３０に湾曲面が無い構成を位置決めピン１９４で位置決めしてもよく、その場合は点接触での位置決めになる。さらにその場合、隣り合う突出部１３７同士の隙間が直径に相当する位置決めピン１９４を使用し、３面が位置決めピン１９４に接触するような構成にするとなおよい。
位置決めピン１９４の形状は真円以外も可能であるが、真円にすると汎用品を使用しやすく、位置決めもしやすい。また真円の径を湾曲部の径より小さくして、第１レンズ１７３と底部１３９を離さない構成にした場合は、位置決め精度は落ちるが、第１レンズ１７３と底部１３９の差は生じにくい。
位置決めピン１９４と相手側の突出部１３７は接触するように構成してもよいが、干渉する可能性を低減するため、寸法誤差分は離しておいて、突出部１３７ではなく、底部１３９で位置がでるように構成した方がなおよい。
【００７３】
＜変形例５＞
図１２は、第１壁部材８３１Ａおよび第２壁部材８３１Ｂの位置関係を示す図である。
次に、図１２を参照しながら、遮光壁１３０の他の変形例について説明をする。
【００７４】
上記図５（ａ）および（ｂ）などにおいて示す例においては、光軸方向に見て、突出部１３７が第１レンズ１７３および第２レンズ１８３と重複しない構成を説明したが、これに限定されない。例えば、図１２に示す遮光壁８３０のように、光軸方向にみて、突出部８３７が第１レンズ１７３および第２レンズ１８３（図３参照）と重複する構成であってもよい。
【００７５】
さらに説明をすると、例えば第１レンズ１７３および第２レンズ１８３の直径が０．４ｍｍであり、突出部８３７の幅Ｗ１が０．１ｍｍ〜０．１５ｍｍである場合には、例えば、突出部８３７の先端８３８から０．１ｍｍの部分（図中、距離ＧＤ参照）が第１レンズ１７３および第２レンズ１８３と重複する構成であってもよい。すなわち、光軸方向に見て、突出部８３７における第１レンズ１７３および第２レンズ１８３と重複する寸法（図中、距離ＧＤ参照）を、第１レンズ１７３および第２レンズ１８３の直径の１／２以下、さらに説明をすると第１レンズ１７３および第２レンズ１８３の１／４以下としてもよい。このような構成とすると、光軸方向に見て、突出部１３７が第１レンズ１７３および第２レンズ１８３と重複しない構成と比較して、オーバーハング部分(図中、領域ＧＡ参照）がより長くなり、主走査方向における隣のレンズに入る光がより確実に低減される。
【００７６】
＜他の変形例＞
上記の説明においては、第１遮光フィルム１１０を設けることを説明したが、フィルム状の形状や材質に限定されるものではない。例えば、フィルムよりも剛性が高い板状部材によって第１遮光フィルム１１０を構成してもよい。すなわち、第１遮光フィルム１１０に替えて、遮光板として構成してもよい。さらに、第１遮光フィルム１１０を設けない構成であってもよい。
【００７７】
また、第１遮光フィルム１１０などにおいて、第１貫通孔１１３、２１３、３１３を設けることを説明したが、光を透過させる構成であれば、これに限定されない。例えば、光源７３からの光に対して透明なフィルムや板などにより、第１貫通孔１１３、２１３、３１３が覆われている構成であってもよい。
また、上記の説明におけるレンズアレイユニット１０においては、遮光壁１３０が、第１レンズアレイ１７０および第２レンズアレイ１８０を挟んで受光素子７４と反対側に設けられることを説明したが、遮光壁１３０が、第１レンズアレイ１７０および第２レンズアレイ１８０よりも受光素子７４側に設けられる構成であってもよい。
【００７８】
また、レンズアレイユニット１０は、原稿読取装置１における位置が固定されるものでもない。例えば、レンズアレイユニット１０は、直線状の読取方向（副走査方向）に往復移動する移動手段に設けられてもよい。さらに説明をすると、この移動手段が、原稿に対して光を照射する照射部と、レンズアレイユニット１０と、レンズアレイユニット１０を通る光を受光する受光部とを備える構成であってもよい。
【００７９】
また、レンズアレイユニット１０を原稿読取装置１に設けることを説明したが、これに限定されない。例えば、発光ダイオードが発光する光を像保持体に結像する像形成装置など、原稿読取装置１以外の光学装置にレンズアレイユニット１０を設けてもよい。
【００８０】
なお、上記の説明における第１レンズ１７３は、レンズ体の一例である。遮光壁１３０は、遮光体の一例である。第１壁部材１３１Ａは、第１遮光体の一例である。第２壁部材１３１Ｂは、第２遮光体の一例である。第１壁部材１３１Ａの基部１３２は、第１基部の一例である。第１壁部材１３１Ａの突出部１３７は、第１突出部の一例である。第２壁部材１３１Ｂの基部１３２は、第２基部の一例である。第２壁部材１３１Ｂの突出部１３７は、第２突出部の一例である。第１遮光フィルム１１０は、覆い部材の一例である。第１貫通孔１１３は、通過領域の一例である。光軸溝１３５の内側面は、レンズの光軸に沿う側面の一例である。光源７３は、照射部の一例である。受光素子７４は、受光素子の一例である。原稿読取装置１は、画像読取装置の一例である。主走査方向は、並び方向の一例である。副走査方向は、交差方向の一例である。第１壁部材１３１Ａの先端１３８は、第１先端の一例である。第２壁部材１３１Ｂの先端１３８は、第２先端の一例である。
【００８１】
上記では種々の実施形態および変形例を説明したが、これらの実施形態や変形例同士を組み合わせて構成してももちろんよい。
また、本開示は上記の実施形態に何ら限定されるものではなく、本開示の要旨を逸脱しない範囲で種々の形態で実施することができる。
【符号の説明】
【００８２】
１…原稿読取装置、１０…レンズアレイユニット、１００…画像形成装置、１１０…第１遮光フィルム、１３０…遮光壁、１３１Ａ…第１壁部材、１３１Ｂ…第２壁部材、１３２…基部、１３５…光軸溝、１３７…突出部
【図１】
2020177152.tif 000003
【図２】
2020177152.tif 000004
【図３】
2020177152.tif 000005
【図４】
2020177152.tif 000006
【図５−１】
2020177152.tif 000007
【図５−２】
2020177152.tif 000008
【図６】
2020177152.tif 000009
【図７】
2020177152.tif 000010
【図８】
2020177152.tif 000011
【図９】
2020177152.tif 000012
【図１０】
2020177152.tif 000013
【図１１】
2020177152.tif 000014
【図１２】
2020177152.tif 000015